(57)【要約】【課題】画質や音質を著しく劣化させること無く、アナログテレビでの地上デジ放送の視聴を可能とする地デジ受信アダプタを提供する。【解決手段】  地デジ受信アダプタ１０は、ＶＨＦ帯とＵＨＦ帯の電波の受信が可能なアンテナに接続されている。そして、このアンテナからの受信信号のうち、ユーザに選択された地デジ放送のチャンネルの受信信号を復調して映像信号と音声信号を抽出し、これらの信号を、アナログテレビ放送におけるいずれかのチャンネル（以後、設定チャンネルとも記載）に対応する放送信号に変換する。そして、変換された放送信号と、設定チャンネルに対応する周波数帯域の信号が除去されたアンテナからの受信信号とを混合し、混合した信号を、オーディオに対して送信する。【選択図】図２
2010239535.tif 000002
【特許請求の範囲】
【請求項１】
少なくともアナログテレビ放送信号とデジタルテレビ放送信号とを受信し、受信した放送信号を、アナログテレビ放送を視聴するための受信装置に対して送信する転送装置であって、
受信したデジタルテレビ放送信号から、ユーザにより指定されたデジタルテレビ放送のチャンネルに対応する映像信号と音声信号とを抽出する抽出手段と、
アナログテレビ放送におけるいずれかのチャンネルを設定チャンネルとし、前記抽出手段により抽出された信号を、前記設定チャンネルに対応するアナログテレビ放送信号に変換し、変換した信号を、前記受信装置に送信する変換手段と、
受信した放送信号から、前記設定チャンネルに対応するアナログテレビ放送信号を除去し、前記受信装置に送信する除去手段と、
を備えることを特徴とする転送装置。
【請求項２】
請求項１に記載の転送装置において、
前記転送装置は、さらに、ラジオ放送信号を受信し、受信したラジオ放送信号を前記受信装置に送信すること、
を特徴とする転送装置。
【請求項３】
請求項１または請求項２に記載の転送装置において、
前記転送装置は、放送信号を受信するアンテナ部に受信用伝送線路を介して接続されると共に、前記受信装置に送信用伝送線路を介して接続され、前記アンテナ部から前記受信用伝送線路を介して放送信号を受信すると共に、前記送信用伝送線路を介して前記受信装置に放送信号を送信すること、
を特徴とする転送装置。
【請求項４】
請求項３に記載の転送装置において、
前記受信用伝送線路と、当該転送装置とを接続するためのコネクタと、前記送信用伝送線路と当該転送装置とを接続するコネクタとは、同一の形式であること、
を特徴とする転送装置。
【請求項５】
請求項３または請求項４に記載の転送装置において、
前記転送装置は、車両に搭載されており、該車両に搭載されている前記アンテナ部と、該車両に搭載されている前記受信装置に、前記伝送線路を介して接続されていること、
を特徴とする転送装置。
【発明の詳細な説明】
【技術分野】
【０００１】
本発明は、アナログテレビ放送の受信装置に対し、アナログテレビ放送信号を転送する転送装置に関する。
【背景技術】
【０００２】
２０１１年７月２４日でアナログテレビ放送が終了するため、この日以降は、アナログテレビ放送のみに対応しているアナログテレビにより、テレビ番組を視聴することができなくなってしまう。
【０００３】
ここで、地上デジタルテレビ放送（以後、地デジ放送とも記載）用のチューナをアナログテレビに外付けし、このチューナから出力される映像信号等を、映像端子等を介してアナログテレビに入力し、アナログテレビを用いて地デジ放送の番組を視聴することが提案されている。
【０００４】
また、車載用のアナログテレビには、映像入力端子等（以下、映像端子）が設けられておらず、地デジ放送用のチューナを外付けすることができない機種が多いが、特許文献１には、このようなアナログテレビを用いた地デジ放送の番組の視聴を可能とする変換装置について記載されている。この変換装置は、地上デジ放送を受信して映像信号及び音声信号を生成し、生成した信号をアナログテレビ放送信号に変換して送信する。そして、変換装置から送信されたアナログテレビ放送信号を受信することにより、映像端子が設けられていない車載用のアナログテレビにて、地デジ放送の番組の視聴が可能となる。
【先行技術文献】
【特許文献】
【０００５】
【特許文献１】登録実用新案第３１３６１５４号公報
【発明の概要】
【発明が解決しようとする課題】
【０００６】
しかしながら、特許文献１では、変換装置はアナログテレビが有するアンテナの付近に設置され、アナログテレビは、このアンテナを介して変換装置から送信された信号を受信する。このため、例えば、アナログテレビ放送の終了前であれば、放送局から送信されたアナログテレビ放送信号と、変換装置から送信された信号とが混信してしまうおそれがあり、アナログテレビにて地デジ放送の番組を視聴する際の画質や音質が著しく劣化してしまうおそれがある。
【０００７】
本願発明は上記課題に鑑みてなされたものであり、画質や音質を著しく劣化させること無く、アナログテレビでのデジタルテレビ放送の視聴を可能とする転送装置を提供することを目的とする。
【課題を解決するための手段】
【０００８】
かかる目的を達成するためになされた請求項１に記載の発明は、
少なくともアナログテレビ放送信号とデジタルテレビ放送信号とを受信し、受信した放送信号を、アナログテレビ放送を視聴するための受信装置に対して送信する転送装置であって、
受信したデジタルテレビ放送信号から、ユーザにより指定されたデジタルテレビ放送のチャンネルに対応する映像信号と音声信号とを抽出する抽出手段と、
アナログテレビ放送におけるいずれかのチャンネルを設定チャンネルとし、前記抽出手
段により抽出された信号を、前記設定チャンネルに対応するアナログテレビ放送信号に変換し、変換した信号を、前記受信装置に送信する変換手段と、
受信した放送信号から、前記設定チャンネルに対応するアナログテレビ放送信号を除去し、前記受信装置に送信する除去手段と、
を備えることを特徴とする。
【０００９】
また、請求項２に記載の発明は、請求項１に記載の転送装置において、前記転送装置は、さらに、ラジオ放送信号を受信し、受信したラジオ放送信号を前記受信装置に送信することを特徴とする。
【００１０】
また、請求項３に記載の発明は、請求項１または請求項２に記載の転送装置において、前記転送装置は、放送信号を受信するアンテナ部に受信用伝送線路を介して接続されると共に、前記受信装置に送信用伝送線路を介して接続され、前記アンテナ部から前記受信用伝送線路を介して放送信号を受信すると共に、前記送信用伝送線路を介して前記受信装置に放送信号を送信することを特徴とする。
【００１１】
また、請求項４に記載の発明は、請求項３に記載の転送装置において、前記受信用伝送線路と、当該転送装置とを接続するためのコネクタと、前記送信用伝送線路と当該転送装置とを接続するコネクタとは、同一の形式であることを特徴とする。
【００１２】
また、請求項５に記載の発明は、請求項３または請求項４に記載の転送装置において、前記転送装置は、車両に搭載されており、該車両に搭載されている前記アンテナ部と、該車両に搭載されている前記受信装置に、前記伝送線路を介して接続されていることを特徴とする。
【発明の効果】
【００１３】
請求項１に記載の転送装置によれば、変換手段により、抽出手段にて抽出された映像信号等を設定チャンネルに対応するアナログテレビ放送信号に変換されて受信装置に送信されると共に、除去手段により、設定チャンネルに対応するアナログテレビ放送信号が除去された放送信号が、受信装置に送信される。尚、受信装置とは、例えば、アナログテレビであっても良い。
【００１４】
こうすることにより、転送装置は、受信装置に対し、設定チャンネルにて放送中のアナログテレビ放送の番組の放送信号等に替えて、デジタルテレビ放送にて放送中の番組を視聴するためのアナログテレビ放送信号を送信することができる。したがって、変換された放送信号と、アナログテレビ放送の番組の放送信号等とが混信してしまうことを防ぐことができる。このため、請求項１に記載の転送装置を用いることにより、画質や音質を著しく劣化させること無く、アナログテレビ等の受信装置を用いてデジタルテレビ放送を視聴することが可能となる。
【００１５】
また、請求項２に記載の転送装置においては、さらに、ラジオ放送信号を受信し、受信したラジオ放送信号を受信装置に送信する。
こうすることにより、受信装置にて、さらに、ＡＭやＦＭラジオ放送の受信が可能となる。
【００１６】
また、請求項３に記載の転送装置においては、放送信号を受信するアンテナ部に受信用伝送線路を介して接続されると共に、受信装置に送信用伝送線路を介して接続され、アンテナ部から受信用伝送線路を介して放送信号を受信すると共に、送信用伝送線路を介して受信装置に放送信号を送信する。
【００１７】
尚、伝送線路とは、例えば、同軸ケーブルであっても良い。
こうすることにより、複雑な配線を行なわなくとも、受信装置に対し、デジタルテレビ放送を視聴するためのアナログテレビ放送信号を送信することができる。
【００１８】
また、請求項４に記載の転送装置においては、受信用伝送線路と当該転送装置とを接続するためのコネクタと、送信用伝送線路と当該転送装置とを接続するコネクタとは、同一の形式である。
【００１９】
こうすることにより、アンテナ部や受信装置と転送装置との接続が容易となる。
また、既に述べたが、車載用のアナログテレビには、映像端子が設けられていないことが多い。
【００２０】
また、請求項５に記載の転送装置においては、車両に搭載されており、該車両に搭載されているアンテナ部と、該車両に搭載されている受信装置に、伝送線路を介して接続されている。
【００２１】
こうすることにより、映像端子が設けられていない車載用アナログテレビ等の受信装置を用いて、画質や音質を著しく劣化させること無く、デジタルテレビ放送を視聴することが可能となる。
【図面の簡単な説明】
【００２２】
【図１】地デジ受信システムの全体構成を示すブロック図である。
【図２】地デジ受信アダプタの構成を示すブロック図である。
【発明を実施するための形態】
【００２３】
以下、本発明の実施形態について図面を用いて説明する。尚、本発明の実施の形態は、下記の実施形態に何ら限定されることはなく、本発明の技術的範囲に属する限り種々の形態を採りうる。
【００２４】
［構成の説明］
図１は、本発明が適用された車載用の地デジ受信システムの全体構成を示すブロック図である。図１に記載されているように、地デジ受信システムは、放送局から送信された放送電波を受信可能な場所に設置されたアンテナ２０と、アンテナ２０から受信用伝送線路５０ａを介して放送信号を受信すると共に、送信用伝送線路５０ｂを介してオーディオ３０に放送信号を転送する地デジ受信アダプタ１０と、地デジ受信アダプタ１０に対しての各種操作を行なうための周知のリモコン４０とを有している。
【００２５】
尚、受信用伝送線路５０ａと送信用伝送線路５０ｂは、同軸ケーブルにより構成されている。そして、地デジ受信アダプタ１０は、受信側コネクタ１１ａを介して受信用伝送線路５０ａに接続されていると共に、送信側コネクタ１１ｂを介して送信用伝送線路５０ｂに接続されており、これらのコネクタは、同一の型格となっている。また、これらのコネクタは、アンテナ２０と受信用伝送線路５０ａとを接続するコネクタや、オーディオ３０と送信用伝送線路５０ｂとを接続するコネクタと、同一の型格となっている。
【００２６】
また、アンテナ２０は、ＡＭ，ＦＭラジオ放送に対応する周波数帯域の電波と、ＶＨＦ帯，ＵＨＦ帯の電波の受信が可能に構成されている。
また、オーディオ３０は、ＡＭ，ＦＭラジオ放送の番組の聴取や、アナログテレビ放送の番組の視聴が可能に構成されている。
【００２７】
次に、地デジ受信アダプタ１０について詳しく説明する。地デジ受信アダプタ１０は、図２に記載されているように、リモコン４０からの指示に応じてユーザが視聴する地デジ放送のチャンネル（以後、ユーザ選択チャンネルとも記載）を設定するリモコン受信制御部１９を有している。
【００２８】
また、地デジ受信アダプタ１０は、受信側コネクタ１１ａから入力される受信信号を二つに分配する分配回路１２と、分配回路１２にて分配された一方の受信信号のうち、地デジ放送に対応する周波数帯域の受信信号のみを通過させるＢＰＦ１５（Band Pass Filter）と、ＢＰＦ１５を通過した受信信号を復調し、ユーザ選択チャンネルに対応する番組の映像信号及び音声信号を抽出するチューナ部１６とを有している。
【００２９】
また、地デジ受信アダプタ１０は、予め設定されたアナログテレビ放送におけるチャンネル（以後、設定チャンネルとも記載）に対応する周波数の搬送波を、チューナ部１６にて抽出された映像信号及び音声信号で変調する変調回路１７と、変調回路１７から出力された変調信号のうち、設定チャンネルに対応する周波数帯域の信号のみを通過させるＢＰＦ１８とを有している。
【００３０】
尚、本実施形態では、設定チャンネルは、１〜３チャンネルのうちのいずれかに設定されるが、他のアナログテレビ放送のチャンネルに設定されても良い。
また、地デジ受信アダプタ１０は、分配回路１２にて分配された他方の受信信号から、上述した設定チャンネルに対応する周波数帯域の信号を除去するＢＥＦ１３（Band Elimination Filter）と、ＢＥＦ１３を通過した受信信号と、ＢＰＦ１８を通過した変調信号とを混合し、混合した信号を送信側コネクタ１１ｂから外部に送信する混合回路１４とを有している。
【００３１】
［効果］
本実施形態の地デジ受信アダプタ１０では、地デジ放送の映像信号等が、アナログテレビ放送における設定チャンネルに対応する放送信号に変換される。そして、変換された放送信号と、設定チャンネルに対応する周波数帯域がカットされたアナログテレビ放送信号とが混合され、オーディオ３０に送信される。したがって、地デジ受信アダプタ１０は、オーディオ３０に対し、設定チャンネルの番組を視聴するためのアナログテレビ放送信号等に替えて、地デジ放送にて放送中の番組を視聴するためのアナログテレビ放送信号を送信することができる。その結果、地デジ放送を視聴するための放送信号と、アナログテレビ放送を視聴するための放送信号等とが混信してしまうことを防ぐことができ、画質や音質を著しく劣化させること無く、オーディオ３０を用いてデジタルテレビ放送を視聴することが可能となる。
【００３２】
また、地デジ受信アダプタ１０にて、地デジ放送の番組の映像信号等をアナログテレビ放送信号に変換し、オーディオ３０に送信することにより、オーディオ３０が映像端子を備えていなくても、オーディオ３０にて地デジ放送の番組を視聴することが可能となる。
【００３３】
［他の実施形態］
（１）本実施形態では、地デジ受信アダプタ１０は、ＡＭ，ＦＭラジオ放送に対応する周波数帯域の電波と、ＶＨＦ帯，ＵＨＦ帯の電波の受信が可能であるアンテナ２０に接続されている。しかしながら、地デジ受信アダプタ１０は、例えば、ＡＭ，ＦＭラジオ放送の電波の受信が可能なアンテナと、ＶＨＦ帯，ＵＨＦ帯の電波の受信が可能なアンテナの
複数のアンテナに接続されていても良い。そして、例えば、これらのアンテナからの受信信号を混合した信号に対し、同様の処理を行っても良い。このような構成を有する場合であっても、同様の効果を得ることができる。
【００３４】
（２）また、地デジ受信アダプタ１０は、例えば、衛星デジタルテレビ放送の電波の受信が可能なアンテナにさらに接続されていても良い。そして、このアンテナからの受信信号に対して同様の処理を行っても良い。こうすることにより、画質や音質を著しく劣化させること無く、アナログテレビを用いて衛星デジタルテレビ放送を視聴することが可能となる。
【００３５】
［特許請求の範囲との対応］
上記実施形態の説明で用いた用語と、特許請求の範囲の記載に用いた用語との対応を示す。
【００３６】
地デジ受信アダプタ１０が転送装置に、アンテナ２０がアンテナ部に、オーディオ３０が受信装置に相当する。また、ＢＥＦ１３が除去手段に、チューナ部１６が抽出手段に、変調回路１７が変換手段に相当する。
【符号の説明】
【００３７】
１０…地デジ受信アダプタ、１１ａ…受信側コネクタ、１１ｂ…送信側コネクタ、１２…分配回路、１３…ＢＥＦ、１４…混合回路、１５…ＢＰＦ、１６…チューナ部、１７…変調回路、１８…ＢＰＦ、１９…リモコン受信制御部、２０…アンテナ、３０…オーディオ、４０…リモコン、５０ａ…受信用伝送線路、５０ｂ…送信用伝送線路。
【図１】
2010239535.tif 000003
【図２】
2010239535.tif 000004